(57)【要約】【課題】施工後に床材のみを取り替えることを床暖房の加熱機能を利用して容易に行える分離型床暖房装置を提供することをその課題とするものである。【解決手段】コードヒータ５を用いた分離型床暖房装置において、床下地合板上にコードヒータ５を用いてなる床暖房マット３を施工すると共に床暖房マット３上にホットメルト接着剤で床材１を固着し、該床暖房マット３の温度コントローラー４内に床暖房としてのコントロールスイッチ８以外にホットメルト接着剤の融解温度以上に加熱昇温させる改装スイッチ１０を設けてなる分離型床暖房装置で、容易に床材１を張り替えることができるものである。【選択図】図１
2008175434.tif 000002
【特許請求の範囲】
【請求項１】
コードヒータを用いた分離型床暖房装置において、床下地合板上にコードヒータを用いてなる床暖房マットを施工すると共に床暖房マット上にホットメルト接着剤で床材を固着し、該床暖房マットの温度コントローラー内に床暖房としてのコントロールスイッチ以外にホットメルト接着剤の融解温度以上に加熱昇温させる改装スイッチを設けてなる分離型床暖房装置。
【請求項２】
改装スイッチは温度コントローラー内で床暖房のコントロールスイッチと別個の空間に防護蓋を設けて設置することを特徴とする請求項１の分離型床暖房装置。
【発明の詳細な説明】
【技術分野】
【０００１】
本発明は、コードヒータを用いた分離型床暖房装置に関する。さらに詳しくは、コードヒータを用いた分離型床暖房装置を施工する時から床材が損傷した場合に床材を容易に取り替えることができる構造を有する分離型床暖房装置に関するものである。
【背景技術】
【０００２】
従来から下記特許文献１に示されるリサイクル型床暖房パネル（分離型床暖房装置）は知られている。即ち、この分離型床暖房装置は構成要素が分離容易とされ、分離後の各構成要素をさらに、素材別に再使用可能とされたものである。そして、構成要素を分離容易とするためにホットメルト接着剤で融着させることが示されている。
【０００３】
しかしながら、この従来の分離型床暖房装置は廃棄する場合に構成要素を分離し再使用するためにホットメルト接着剤で構成要素を融着させており、分離型床暖房装置の一部が損傷した場合に分離型床暖房装置の加熱機能を利用して損傷部を取り替えるものではなかった。
【０００４】
一般に分離型床暖房装置を構成する床暖房マット、床材では損傷の可能性、外観の低下等で取替えの頻度、要望は床材が圧倒的に多いものである。特に、床材は室内の他の床部分が局部的に損傷した場合でも床全体を張り替えることはしばしば行われるものである。
【特許文献１】特開２００２−７１１５０号公報  （要約、図１）
【発明の開示】
【発明が解決しようとする課題】
【０００５】
本発明は、上記従来例と異なり、施工後に床材のみを取り替えることを床暖房の加熱機能を利用して容易に行える分離型床暖房装置を提供することをその課題とするものである。
【課題を解決するための手段】
【０００６】
上記課題を解決するために、本発明にかかる分離型床暖房装置は、コードヒータを用いた分離型床暖房装置において、床下地合板上にコードヒータを用いてなる床暖房マットを施工すると共に床暖房マット上にホットメルト接着剤で床材を固着し、該床暖房マットの温度コントローラー内に床暖房としてのコントロールスイッチ以外にホットメルト接着剤の融解温度以上に加熱昇温させる改装スイッチを設けてなるものである。
【発明の効果】
【０００７】
請求項１に記載の分離型床暖房装置は、床下地合板上にコードヒータを用いてなる床暖房マットを施工すると共に床暖房マット上にホットメルト接着剤で床材を固着し、該床暖房マットの温度コントローラー内に床暖房としてのコントロールスイッチ以外にホットメルト接着剤の融解温度以上に加熱昇温させる改装スイッチを設けてなるために、床暖房として使用するときは温度コントローラー内のコントロールスイッチにより床暖房として適切な温度に調節して使用することができるものであり、床材を張り替えるときは温度コントローラー内の改装スイッチを入れることによりコードヒータをホットメルト接着剤の融解温度以上に加熱昇温させる。ホットメルト接着剤は融解温度以上に加熱昇温されると融解し、接着力が減少して床材は床暖房マットを損傷させることなく剥離除去することができる。剥離除去した後、新しい床材を載置し改装スイッチを切りにすることによりホットメルト接着剤は融解温度以下の常温になり新しい床材は固着され、床材は用意に張り替えられる。
【０００８】
請求項２に記載の分離型床暖房装置は、請求項１の効果に加え、改装スイッチは温度コントローラー内で床暖房のコントロールスイッチと別個の空間に防護蓋を設けて設置するために床暖房の温度を調節するコントロールスイッチと改装スイッチを間違えて操作する恐れがないものである。
【発明を実施するための最良の形態】
【０００９】
以下、本発明の実施形態について図面を参照して、詳細に説明する。図１は本発明の分離型床暖房装置である実施例の分解斜視図、図２は図１に示す実施例の施工状態を示す斜視図、図３は図１に示す実施例に使用している温度コントローラー内を示す斜視図である。
【００１０】
図１、図２において、１は床材、２は均熱板、３は床暖房マットである。床材１は通常使用されている木質床材が適しているがとくに材質は制限されないものである。均熱板２は床暖房マット３の熱を床材１に均一に伝導する役割をはたすもので、アルミニウムが適したものであるが材質は制限されないものである。床暖房マット３はコードヒータ５をマット状体６内に配設してなるものである。
【００１１】
コードヒータ５は自己温度調節機能を有するＰＴＣ等ではない意味である。マット状体６はパネル状のものでもよく、箱状のものでもよいもので、従来から使用されているものでよい。床材１、均熱板２、床暖房マット３はホットメルト樹脂により一体に固着形成され分離型床暖房装置を構成する。ホットメルト樹脂はロジンエステル系樹脂等の市販のホットメルト樹脂を用いることができる。
【００１２】
温度コントローラー４は図３に示すように、コントロールボックス７内にコントロールスイッチ８、温度コントロール部９、改装スイッチ１０を設けてなるものである。１１は改装スイッチ１０の防護蓋、１２はコントロールボックス７のカバーである。
【００１３】
コントロールスイッチ８は電源スイッチであり、床暖房として分離型床暖房装置を使用するときはコントロールスイッチ８をＯＮとし、温度コントロール部９により温度調節を行う。分離型床暖房装置の使用を停止するときはコントロールスイッチ８をＯＦＦとする。分離型床暖房装置の床材１を張り替えるときはコントロールスイッチ８をＯＦＦとし改装スイッチ１０の防護蓋１１を開け改装スイッチ１０をＯＮとする。
【００１４】
コントロールスイッチ８をＯＦＦとし改装スイッチ１０をＯＮとするとコードヒータ５は温度コントロール部９に影響を受けず加熱し床暖房マット３の温度を上昇せしめる。温度がホットメルト樹脂の融解温度以上に加熱されるとホットメルト樹脂が融解し、床材１は剥離することができる。床材１を剥離した後、新しい床材１を載置押圧し、改装スイッチ１０をＯＦＦとする。
【００１５】
改装スイッチ１０をＯＦＦとするとホットメルト樹脂の融解温度に加熱されていたホットメルト樹脂は常温になり接着機能を発揮し、床材１は張り替えられたことになる。この場合、改装スイッチ１０の操作は改装スイッチ１０の防護蓋１１を開けて後に行うものであるために、コントロールスイッチ８の操作と異なり間違って操作する恐れは少ないものである。
【図面の簡単な説明】
【００１６】
【図１】本発明にかかる分離型床暖房装置の実施例の分解斜視図。
【図２】図１に示す実施例の施工状態を示す斜視図。
【図３】図１に示す実施例に使用した温度コントローラー内を示す斜視図。
【符号の説明】
【００１７】
１            床材
２            均熱板
３            床暖房マット
４            温度コントローラー
５            コードヒータ
６            マット状体
７            コントロールボックス
８            コントロールスイッチ
９            温度コントロール部
１０          改装スイッチ
１１          防護蓋
１２          カバー
【図１】
2008175434.tif 000003
【図２】
2008175434.tif 000004
【図３】
2008175434.tif 000005